(57)【要約】【課題】本発明の課題は、読み取る原稿のページ内で部分的に１つ以上のセキュリティ保護の範囲を設定可能とし、１つ以上のセキュリティ保護の範囲を暗号化してその原稿を印刷又は表示する画像処理装置を提供することを目的とする。【解決手段】上記課題は、原稿を読み取り印刷する画像処理装置であって、前記原稿に部分的に設定した１つ以上のセキュリティ保護の範囲毎に、印刷又は表示される該原稿のうち該範囲の内容を視覚的に判別困難にする暗号化強度を設定可能とする設定手段を有することを特徴とする画像処理装置によって達成される。【選択図】図２
2008035494.tif 000002
【特許請求の範囲】
【請求項１】
原稿を読み取り印刷する画像処理装置であって、
前記原稿に部分的に設定した１つ以上のセキュリティ保護の範囲毎に、印刷又は表示される該原稿のうち該範囲の内容を視覚的に判別困難にする暗号化強度を設定可能とする設定手段を有することを特徴とする画像処理装置。
【請求項２】
前記設定手段は、プレビュー表示された前記原稿の画像上で１つ以上の前記セキュリティ保護の範囲を設定し、その範囲に対して暗号化強度を設定可能とすることを特徴とする請求項１記載の画像処理装置。
【請求項３】
前記設定手段は、前記原稿を読み取った画像データから、前記１つ以上のセキュリティ保護の範囲を取得し、該範囲毎に対応付けられている前記暗号化強度の設定を含むマークシートを読み取って該暗号化強度を取得することを特徴とする請求項１記載の画像処理装置。
【請求項４】
前記設定手段は、前記１つ以上のセキュリティ保護の範囲毎に、機密度を設定可能とすることを特徴とする請求項１乃至３のいずれか一項記載の画像処理装置。
【請求項５】
前記設定手段は、前記１つ以上のセキュリティ保護の範囲毎に、印刷時の表示部への表示可否を設定可能とすることを特徴とする請求項１乃至４のいずれか一項記載の画像処理装置。
【請求項６】
前記設定手段によって取得した設定値を示す機密度設定情報に基づいて前記原稿を読み取った画像データを部分的に暗号化する暗号化処理を行う暗号化処理手段を有することを特徴とする請求項１乃至５のいずれか一項記載の画像処理装置。
【請求項７】
前記原稿を読み取った画像データを記憶する画像記憶部に前記機密度設定情報を該画像データと共に格納することを特徴とする請求項６記載の画像処理装置。
【請求項８】
前記原稿を読み取った画像データを記憶する画像記憶部に格納されている対応表によって、前記機密度設定情報が該画像データに対応するように記憶されることを特徴とする請求項６又は７記載の画像処理装置。
【請求項９】
前記暗号化強度に対応する暗号パターンを記憶する暗号パターン記憶手段を有し、
前記暗号化処理手段は、前記原稿を読み取った画像データを印刷又は表示する際に、前記暗号パターン記憶手段から前記暗号化強度に対応する暗号パターンを取得して、前記セキュリティ保護の範囲に対して前記暗号化処理を行うことを特徴とする請求項６乃至８のいずれか一項記載の画像処理装置。
【請求項１０】
ユーザ毎に機密度に対応する権限レベルを示すユーザ情報を管理するユーザ情報管理部から該権限レベルを取得して、前記機密度との比較結果に基づいて前記暗号化処理が実行されることを特徴とする請求項９記載の画像処理装置。
【請求項１１】
前記表示可否に基づいて、表示部への前記原稿のプレビュー表示を抑止することを特徴とする請求項５乃至１０のいずれか一項記載の画像処理装置。
【請求項１２】
前記画像データの部分となる暗号化された範囲を、前記機密度設定情報に基づいて復号化する復号化処理を行う復号化処理手段を有することを特徴とする請求項６乃至１１のいずれか一項記載の画像処理装置。
【請求項１３】
前記暗号化強度に対応する復号鍵を記憶する復号鍵記憶手段を有し、
前記復号化処理手段は、前記原稿を読み取った画像データを印刷又は表示する際に、前記復号鍵記憶手段から前記暗号化強度に対応する復号鍵を取得して、暗号化された前記セキュリティ保護の範囲に対して復号化処理を行うことを特徴とする請求項１２記載の画像処理装置。
【請求項１４】
前記ユーザ情報管理部から該権限レベルを取得して、前記機密度との比較結果に基づいて前記復号化処理が実行されることを特徴とする請求項１３記載の画像処理装置。
【請求項１５】
少なくとも前記画像記憶部と前記ユーザ情報管理部の少なくとも１つはネットワークを介してアクセスされるサーバに備えられていることを特徴とする請求項７乃至１１のいずれか一項記載の画像処理装置。
【請求項１６】
原稿を読み取った画像に対して画像処理を行う画像処理方法であって、
前記原稿に部分的に設定した１つ以上のセキュリティ保護の範囲毎に、印刷又は表示される該原稿のうち該範囲の内容を視覚的に判別困難にする暗号化強度を設定可能とする設定手順を有することを特徴とする画像処理方法。
【発明の詳細な説明】
【技術分野】
【０００１】
本発明は、画像処理装置に関し、特に、読み取る原稿のページ内で部分的に１つ以上のセキュリティ保護の範囲を設定可能とし、１つ以上のセキュリティ保護の範囲を暗号化してその原稿を印刷又は表示する画像処理装置及び画像処理方法を提供するものである。
【背景技術】
【０００２】
近年、コピー機及び印刷機の普及により、紙原稿のコピーや、デジタル文書の印刷が容易に行われるようになった。それに伴い、文書のセキュリティ保護が一層重要になってきた。
【０００３】
文書の印刷出力時に他人に内容を見られることがないように、その文書を印刷しようとしている本人であることをプリンタで認証した後に出力する技術が提案されている（例えば、特許文献１）。
【０００４】
また、デジタル文書や画像データなどを暗号化してセキュリティ保護することが以前より行われているが、復号キーが第三者に流出し不正な鍵データにより画像データが復号化される場合がある。このような状況に対応して、画像データを復号した際に復号された画像データの正当性を確認する技術が提案されている（例えば、特許文献２）。
【特許文献１】特開平９−６５１４８号公報
【特許文献２】特開２００５−２７１５８６号公報
【発明の開示】
【発明が解決しようとする課題】
【０００５】
上述したような技術では、特定の権限を持つ者が文書又は画像データを取り扱うことを許すことを前提としているため、文書又は画像データ全体を保護することを目的としている。しかしながら、１つの文書を異なる権限を持つ者がその権限に応じて取り扱うことが必要な場合に不都合が生じる。
【０００６】
そこで、本発明の課題は、読み取る原稿のページ内で部分的に１つ以上のセキュリティ保護の範囲を設定可能とし、１つ以上のセキュリティ保護の範囲を暗号化してその原稿を印刷又は表示する画像処理装置及び画像処理方法を提供することである。
【課題を解決するための手段】
【０００７】
上記課題を解決するため、本発明は、原稿を読み取り印刷する画像処理装置であって、前記原稿に部分的に設定した１つ以上のセキュリティ保護の範囲毎に、印刷又は表示される該原稿のうち該範囲の内容を視覚的に判別困難にする暗号化強度を設定可能とする設定手段を有するように構成される。
【０００８】
このような画像処理装置では、読み取る原稿に対して１つ以上のセキュリティ保護の範囲毎に暗号化強度を設定できるため、例えば、その範囲内の記載が読み取り不可能であっても記載があるか否かの判断ができる程度の暗号化を範囲毎に行った後、原稿を印刷又は表示させることができる。暗号化は原稿内で部分的になされるため、文書又は画像データ全体が読み取り不可能な状態とはならないようにすることができる。
【発明の効果】
【０００９】
本願発明によれば、読み取る原稿の１ページ内の複数の領域をセキュリティ保護の範囲として設定でき、また、範囲毎に所望の機密度を設定することができる。また、セキュリティ保護の範囲が設定された原稿の画像をプレビュー表示する際の表示可／不可も設定することができる。
【発明を実施するための最良の形態】
【００１０】
以下、本発明の実施の形態を図面に基づいて説明する。
【００１１】
図１は、本発明に係る原稿の一部をセキュリティ保護する方法の概要を説明するための図である。図１において、文書管理者１がセキュリティ保護の必要な紙の原稿１ａを画像処理装置１００にセットし、画像処理装置１００に原稿１ａを読み取らせプレビュー表示させる（ステップＳ１）。
【００１２】
文書管理者１は、プレビュー表示された原稿にセキュリティ保護したい領域を指定する（ステップＳ２）。文書管理者１は、セキュリティ保護したい複数の領域を指定してもよい。画像処理装置１００は、原稿１ａの画像とセキュリティ保護の領域とを内部の記憶領域に保管する（ステップＳ３）。
【００１３】
次に、文書利用者２が画像処理装置１００に保管されている原稿１ａの画像を印刷する場合、画像処理装置１００は、文書利用者２の権限に応じて、原稿１ａのセキュリティ保護される部分を暗号化して印刷する（ステップＳ４）。
【００１４】
画像処理装置１００からは、原稿１ａのセキュリティ保護される部分が塗り潰された印刷物２ａが出力される。このように原稿１ａの一部分をセキュリティ保護することができる。
【００１５】
図２は、セキュリティ保護するための機密度設定を可能とする表示例を示す図である。図２において、文書管理者１が画像処理装置１００で原稿１ａを読み込むと、画像処理装置１００の表示部１１１には、原稿１ａの画像を表示したプレビュー画像３ａと、機密度を設定するための機密度設定域１１ａと、暗号の強度を設定するための暗号化強度設定域１１ｂと、原稿１ａを開示する表示を行うか否かを設定するための表示可否設定域１１ｃとが表示される。
【００１６】
機密度設定域１１ａは、原稿１ａのセキュリティ保護の各部分に対する機密度を設定するための領域である。機密度設定域１１ａには、高レベルの機密度を示す「機密度高」と、中レベルの機密度を示す「機密度中」と、低レベルの機密度を示す「機密度低」とが選択可能に表示される。
【００１７】
「機密度高」が設定された原稿１ａのセキュリティ保護の部分は、文書利用者２の権限レベルが「機密度高」である場合にのみ内容を開示し、「機密度中」又は「機密度低」である場合には、暗号化強度に応じた暗号化が実行され内容が開示されない。
【００１８】
「機密度中」が設定された原稿１ａのセキュリティ保護の部分は、文書利用者２の権限レベルが「機密度中」又は「機密度高」である場合にのみ内容を開示し、「機密度低」である場合には、暗号化強度に応じた暗号化が実行され内容が開示されない。
【００１９】
「機密度低」が設定された原稿１ａのセキュリティ保護の部分は、文書利用者２の権限レベルが「機密度高」、「機密度中」、「機密度低」のいずれの場合にも開示される。
【００２０】
暗号化強度設定域１１ｂは、原稿１ａを印刷する際のセキュリティ保護が設定された領域の暗号化強度を設定するための領域である。暗号化強度設定域１１ｂには、強レベルの暗号化を示す「強暗号化」と、低レベルの暗号化を示す「低暗号化」とが選択可能に表示される。
【００２１】
表示可否設定域１１ｃは、印刷時のプレビューでセキュリティ保護が設定されている原稿１ａの部分を暗号化せずに表示するか否かを設定するための領域である。
【００２２】
例えば、原稿１ａには、個人の住所、写真、既病歴などを含む文書であって、文書管理者１がプレビュー画像３ａ上でタッチペン等でセキュリティ保護したい部分として既病歴の部分を対角線を描くように指定し、「機密度高」、「強暗号化」、「表示部への表示：しない」を設定したとする。この場合、セキュリティ保護の部分が領域３ｅで設定される。更に、文書管理者１は、個人の住所、写真の領域を異なる機密度に設定することもできる。
【００２３】
この機密度設定によって、画像処理装置１００によって領域３ｅに「強暗号化」に対応する暗号化処理が行われて、保護されたプレビュー画像３ｂが表示される。文書管理者１は、保護されたプレビュー画像３ｂのセキュリティ保護の状態を確認後、画像処理装置１００へ設定した情報を保存する。
【００２４】
文書利用者２が画像処理装置１００にて原稿１ａの画像を印刷する場合、この保護されたプレビュー画像３ｂが表示部１１１に表示されることとなる。
【００２５】
図３は、セキュリティ保護するための機密度設定の他の例を示す図である。図３に示す紙の原稿１ｂには、原稿１ｂの内容を構成する各領域４ａ、４ｂ及び４ｃに対応させて、図２に示される機密度設定域１１ａ、暗号化強度設定域１１ｂ及び表示可否設定域１１ｃをマークシートとした機密度設定域１２ａ、暗号化強度設定域１２ｂ及び表示可否設定域１２ｃで構成されるマークシート部分５ａ、５ｂ及び５ｃが配置されている。
【００２６】
文書管理者１は、原稿１ｂのマークシート部分５ａから５ｃの所望する項目の塗りつぶし部分を塗りつぶして画像処理装置１００で読み込ませる。原稿１ｂの画像データとマークシート部分５ａ、５ｂ及び５ｃの設定に基づく機密度設定情報とが生成され所定の記憶領域に格納される。原稿１ｂを印刷物２ａとして出力する場合、機密度設定情報に従ってセキュリティ保護された画像形成によって印刷部２ａが出力される。
【００２７】
暗号化強度の違いによる出力例について図４で説明する。図４に示す出力例とは、プレビュー表示された原稿１ａ又は出力された印刷物２ａの印刷状態を示すが、プレビュー表示された原稿１ａで説明する。
【００２８】
図４（Ａ）は、暗号化強度として強暗号化が設定された場合の出力例を示す図である。図４（Ａ）に示すプレビュー画像３ｇおいて、機密度設定が「機密度高」、「強暗号化」、「表示部への表示：しない」である場合、原稿１ａの「既病歴」の部分の領域３ｅが濃く塗り潰されて表示される。この場合、領域３ｅに記載があるのか或いは記載がないのかを判断することはできない。このプレビュー画像３ｇのように、印刷物２ａが出力される。
【００２９】
図４（Ｂ）は、暗号化強度として低暗号化が設定された場合の出力例を示す図である。図４（Ｂ）に示すプレビュー画像３ｈおいて、機密度設定が「機密度高」、「弱暗号化」、「表示部への表示：しない」である場合、原稿１ａの「既病歴」の部分の領域３ｅが薄く塗り潰されて表示される。領域３ｅに記載がある場合、読み取ることができない程度に暗号化されて表示される。従って、領域３ｅに記載があるのか或いは記載がないのかを判断することができる。
【００３０】
読み取ることができない程度に暗号化して内容を開示する画像半開示技術として、埋め込み対象の多値画像データにノイズを多重化するようにした特開２００４−４０２３３号公報、画像データのビット列中の一部を新たな値に置換するようにした特開平８−２５６３２１号公報等を適用すればよい。
【００３１】
上述したような機密度設定を可能とし、セキュリティ保護された印刷物２ａを出力する画像処理装置の構成例について図５で説明する。図５は、画像処理装置の構成例を示す図である。図５において、画像処理装置１００は、制御部１１０と、表示部１１１と、操作部１１２と、原稿読取部１１３と、暗号パターン記憶部１１４と、画像処理部１１５と、ユーザ情報記憶部１１６と、画像記憶部１１７と、画像印刷部１１８と、マークシート解析部９２と、機密度設定情報生成部９３と、復号化鍵記憶部９４とを備え、バスＢ１で互いに接続されている。
【００３２】
制御部１１０は、ＣＰＵ（Central Processing Unit）とメモリとを備え、画像処理装置１００全体を制御する。表示部１１１は、タッチパネルで構成され、ユーザへの情報表示を行う他、タッチペン又は指先などでタッチパネル上を操作することによってユーザによる情報の入力及び設定を可能とする。操作部１１２は、テンキーボタン、スタートボタンなどで構成され、ユーザがボタンを押下することによって画像処理装置１００への操作を可能とする。
【００３３】
原稿読取部１１３は、ユーザによって設定された原稿１ａ又は原稿１ｂを読み取る。暗号パターン記憶部１１４は、文書管理者１が設定した暗号化強度に対応する暗号パターンを記憶している。
【００３４】
画像処理部１１５は、原稿読取部１１３が原稿１ａを読み取って生成した画像データに対して種々の画像処理を行う。ユーザ情報記憶部１１６は、文書利用者２毎にパスワードなどのユーザ認証情報と文書利用者２が原稿１ａの画像データを印刷又は表示する際の機密度を示す情報とを対応させて記憶する。
【００３５】
画像記憶部１１７は、原稿読取部１１３が原稿１ａを読み取って生成した画像データを、文書管理者１が設定した機密度設定情報と共に記憶領域に格納する。画像印刷部１１８は、文書利用者２が指定した原稿１ａの画像を用紙上に形成して画像処理装置１００から印刷物２ａとして出力する。
【００３６】
マークシート解析部９２は、原稿読取部１１３によって読み取られた図３に示すような原稿１ｂのマークシート部分５ａから５ｃの解析を行う。機密度設定情報生成部９３は、マークシート解析部９２によって解析された機密度設定に基づいて機密度設定情報を生成し、原稿１ｂを読み取った画像データに割り当てられた画像ＩＤに対応づけて画像記憶部１１７に格納する。復号化鍵記憶部９４は、画像記憶部１１７に蓄積された画像データ（文書）のプレビュー表示又は印刷時に暗号化された領域を復号するための鍵（復号化鍵）を格納しておく記憶部である。
【００３７】
図６は、画像処理装置とＰＣとによるシステム構成例を示す図である。図６に示すシステム１００１において、画像処理装置１００は、図５に示す構成部分にネットワーク通信を行うネットワークＩ／Ｆ１１９を加え、ネットワーク５を介してＰＣ（Personal Computer）４と接続される。図６に示すシステム１００１では、マークシート解析部９２は省略される。
【００３８】
ＰＣ４は、ＣＰＵとメモリとを有する制御部４０と、表示部４１と、マウス、キーボード等を有する操作部４２と、ネットワーク通信を制御するネットワークＩ／Ｆ４３とを備え、バスＢ４で互いに接続されている。
【００３９】
図６に示すシステム１００１では、文書利用者２は、ＰＣ４から画像処理装置１００へアクセスすることができ、文書利用者２が画像処理装置１００の画像記憶部１１７に保存されている原稿１ａの画像データを選択すると、表示部４１に図４（Ａ）又は図４（Ｂ）に示すようなプレビュー画像３ｇ又は３ｈが表示される。
【００４０】
同様に、文書管理者１は、ＰＣ４から画像処理装置１００へアクセスすることができ、紙の原稿１ａを原稿読取部１１３に読み込ませる代わりに、文書データを画像処理装置１００へネットワーク５を介して転送して機密度設定を行った後、画像記憶部１１７に保存させることができる。
【００４１】
図７は、画像処理装置と認証サーバと文書サーバとによるシステム構成例を示す図である。図７に示すシステム１００２において、画像処理装置１００と、ユーザ認証を行う認証サーバ６と、文書データを保管する文書サーバ７とが、ネットワーク５を介して互いに接続される。
【００４２】
画像処理装置１００は、図５に示す構成のうちユーザ情報記憶部１１６と、画像記憶部１１７とを除く構成となる。画像処理装置１００は、認証サーバ６で管理されているユーザ認証情報を用いてユーザ認証を行い、原稿読取部１１３で読み取った原稿１ａの画像データを文書サーバ７の画像記憶部７７に格納する。
【００４３】
図７に示すシステム１００２において、更に、図６に示すＰＣ４をネットワーク５を介して接続する構成としてもよい。
【００４４】
図８は、図６に示す画像処理装置１００の機能構成を示す図である。図８において、画像処理装置１００は、ＵＮＩＸ（登録商標）などのＯＳ（Operating System）１０と、Ｊａｖａ（登録商標）を解釈実行するＪａｖａ（登録商標）仮想マシン（ＫＶＭ：K Virtual Machine）１１と、Ｊａｖａ（登録商標）によるプロファイル（Profile）１２とを有する。
【００４５】
プロファイル（Profile）１２は、Ｊａｖａ（登録商標）で開発されて複数の処理部（モジュール）で構成され、ＵＩ制御部１２１と、メモリ制御部１２２と、ユーザ管理部１２３と、読取印刷制御部１２４と、画像処理制御部１２５と、ネットワーク制御部１２６とを有する。
【００４６】
ＵＩ制御部１２１は、表示部１１１への情報の表示制御と操作部１１２からのユーザ操作に対する処理とを行う処理部である。メモリ制御部１２２は、画像記憶部１１７を制御する処理部である。
【００４７】
ユーザ管理部１２３は、ユーザ情報記憶部１１６を利用してユーザ認証を行う処理部である。読取印刷制御部１２４は、原稿読取部１１３を制御して原稿１ａを読み取り、また、画像印刷部１１８を制御して原稿１ａから読み取った画像を用紙上に形成する処理部である。
【００４８】
画像処理制御部１２５は、原稿１ａから読み取った画像データに対して、その原稿１ａの機密度設定に従って暗号化を行う処理を含む画像処理を行う処理部である。ネットワーク制御部１２６は、ネットワークＩ／Ｆ１１９を制御してネットワーク通信を行う処理部である。
【００４９】
図６に示す画像処理装置１００も同様の処理部１２１から１２６を備える。図５に示す画像処理装置１００の構成の場合、上述した処理部のうちネットワーク制御部１２６が不要となる。
【００５０】
次に、種々の処理シーケンスについて図９から図１１で説明する。先ず、文書管理者１がプレビューを参照しつつ機密度設定を行う場合の処理シーケンスについて図９で説明する。図９は、原稿読み取り時に機密度設定を行う場合の処理シーケンスを示す図である。機密度設定ための処理シーケンスは同様であるため、図９に示す構成部には、図５及び図６に示す画像処理装置１００の構成部の符号が付されているが、（  ）内には図７に示すシステム１００２の構成部の符号を付している。システム１００２では、文書サーバ７に備えられている画像記憶部７７に画像データが保存される。
【００５１】
図９において、操作部１１２は、文書管理者１による操作に応じて、原稿読取要求を原稿読取部１１３へ送信する（ステップＳ１１）。原稿読取部１１３は、原稿１ａを読み取り（ステップＳ１２）、読み取って生成した画像データを画像記憶部１１７（又は７７）に送信して保存する（ステップＳ１３）。画像記憶部１１７（又は７７）は、受信した画像データに画像ＩＤを付加して記憶領域に格納し、機密度設定情報生成部９３にその画像ＩＤを通知しておく（ステップＳ１３−２）。原稿１ａの画像データは原稿読取部１１３から表示部１１１へとプレビュー表示のために転送される（ステップＳ１４）。
【００５２】
文書管理者１は、操作部１１２又は表示部１１１からプレビュー表示された画像を用いて機密度設定を行う（ステップＳ１５）。操作部１１２又は表示部１１１は、機密度設定情報を保存するために機密度設定情報の保存要求を機密度設定情報生成部９３に対して送信する（ステップＳ１６）。
【００５３】
機密度設定情報の保存要求には、機密度設定毎に、指定した領域の座標、機密度、暗号化強度、表示可／不可を示す情報が含まれる。機密度設定情報生成部９３は、機密度設定情報の保存要求に含まれる情報を用いて、ステップＳ１３−２にて画像記憶部１１７（又は７７）から受信した画像ＩＤを付加した所定のデータ構成で機密度設定情報を生成し（ステップＳ１７）、画像記憶部１１７（又は７７）に機密度設定情報を格納させる（ステップＳ１８）。
【００５４】
原稿１ａのフォーマットが決まっているために、機密度設定が一意に決定されている場合の原稿読み取りの処理シーケンスについて図１０で説明する。図１０は、機密度設定が一意に決定されている場合の処理シーケンスを示す図である。図１０に示す構成部には、図５及び図６に示す画像処理装置１００の構成部の符号が付されているが、（  ）内には図７に示すシステム１００２の構成部の符号を付している。システム１００２では、文書サーバ７に備えられている画像記憶部７７に画像が保存される。
【００５５】
図１０において、操作部１１２は、文書管理者１による操作に応じて、原稿読取要求を原稿読取部１１３へ送信する（ステップＳ２１）。原稿読取部１１３は、原稿１ａを読み取り（ステップＳ２２）、読み取って生成した画像を画像記憶部１１７（又は７７）に保存する（ステップＳ２３）。
【００５６】
文書管理者１がＰＣ４から機密度設定を行う場合の処理シーケンスについて図１１で説明する。図１１は、ＰＣ４で機密度設定を行う場合の処理シーケンスを示す図である。図１１において、文書管理者１は、ＰＣアプリ上で画像を表示部４２に表示し（ステップＳ３１）、操作部４１を操作して機密度設定を行う（ステップＳ３２）。
【００５７】
機密度設定後、文書管理者１が操作部４１で画像保存を行うと、操作部４１からネットワークＩ／Ｆ４９に対して画像データを含む画像保存要求が行われる（ステップＳ３３）。ネットワークＩ／Ｆ４９は、画像保存要求を画像処理装置１００へと転送する（ステップＳ３４）。
【００５８】
画像処理装置１００において、ネットワークＩ／Ｆ１１９が画像データを含む画像保存要求を受信すると、画像記憶部１１７へと送信する（ステップＳ３５）。画像記憶部１１７は、受信した画像データに画像ＩＤを付加して記憶領域に格納し、機密度設定情報生成部９３にその画像ＩＤを通知しておく（ステップＳ３５−２）。
【００５９】
また、ＰＣ４では、操作部４１からネットワークＩ／Ｆ４９に対して機密度設定情報保存要求が行われる（ステップＳ３６）。機密度設定情報の保存要求には、機密度設定毎に、指定した領域の座標、機密度、暗号化強度、表示可／不可を示す情報が含まれる。ネットワークＩ／Ｆ４９は、機密度設定情報の保存要求を画像処理装置１００へと転送する（ステップＳ３７）。
【００６０】
画像処理装置１００において、ネットワークＩ／Ｆ１１９が機密度設定情報の保存要求を受信すると、機密度設定情報生成部９３へと送信する（ステップＳ３８）。機密度設定情報生成部９３は、機密度設定情報の保存要求に含まれる情報を用いて、ステップＳ３５−２にて画像記憶部１１７から受信した画像ＩＤを付加した所定のデータ構成で機密度設定情報を生成し（ステップＳ３９）、画像記憶部１１７に機密度設定情報を格納させる（ステップＳ３９−２）。
【００６１】
ＰＣ４が文書サーバ７に画像データと機密度設定情報とを格納する場合、図１１に示す画像処理装置１００が文書サーバ７に置き換えられ、画像記憶部７７に画像データと機密度設定情報とが格納される。この場合においても、処理シーケンスは、上述した処理シーケンスと同様である。
【００６２】
図１２は、図３に示す原稿１ｂを読み取ってマークシート部分を解析して機密度を設定する場合の処理シーケンスを示す図である。図１２中、図９に示す処理シーケンスにおけるステップと同様のステップには同一の符号を付し、その説明を省略する。図１２において、原稿１ｂが読み込まれ所定の記憶領域に格納されると（ステップＳ１１からＳ１３−２）、原稿読取部１３は、原稿１ｂの画像データをマークシート解析部９２へ転送する（ステップＳ１４−２）。
【００６３】
マークシート解析部９２は、画像データから領域４ａ〜４ｃの各座標を特定し、マークシート部分５ａ〜５ｃでマークされた機密度設定を解析した値を機密度設定情報生成部９３へ転送する（ステップＳ９３）。
【００６４】
機密度設定情報生成部９３へ転送された値には、領域４ａ〜４ｃ毎に、座標、機密度、暗号化強度、表示可／不可を示す値が含まれる。機密度設定情報生成部９３は、転送された値を用いて、ステップＳ１３−２にて画像記憶部１１７（又は７７）から受信した画像ＩＤを付加した所定のデータ構成で機密度設定情報を生成し（ステップＳ１７）、画像記憶部１１７（又は７７）に機密度設定情報を格納させる（ステップＳ１８）。
【００６５】
機密度設定情報で示される暗号化強度と文書利用者２の権限レベルとに応じた暗号パターンで画像データの一部分を暗号化してプレビュー表示する場合について図１３で説明する。
【００６６】
図１３は、権限レベルに応じて部分的に暗号化した画像でプレビュー表示するための処理シーケンスを示す図である。図１３中、画像処理装置１００でユーザ認証を行う場合、画像処理装置１００のユーザ情報記憶部１１６が利用され、認証サーバ６が備えられるシステム１００２の場合、認証サーバ６のユーザ情報記憶部６６が利用される。同様に、画像処理装置１００で読み込んだ原稿１ａ（又は原稿１ｂ）の画像を保存する場合、画像処理装置１００の画像記憶部１１７が利用され、文書サーバ７が備えられるシステム１００２の場合、文書サーバ７の画像記憶部７７に画像が保存される。いずれの場合においても、処理シーケンスは同様であるので、図１３に示す構成部には図５及び図６に示す画像処理装置１００の構成部の符号が付されているが、（  ）内には図７に示すシステム１００２の構成部の符号を付している。
【００６７】
図１３において、文書利用者２が操作部１１２にてログインを行うと（ステップＳ４１）、操作部１１２は、ユーザ管理部１２３へユーザ名及びパスワードなどの認証情報を含む認証要求を送信する（ステップＳ４２）。ステップＳ４１にて、操作部１１２からのログインの代わりに、文書利用者２がユーザ名及びパスワードなどが記録されたカードをカードリーダに読み込ませて行うようにしてもよい。
【００６８】
ユーザ管理部１２３は、ユーザ情報記憶部１１６（又は６６）へ認証情報を含むユーザ情報取得要求を送信して（ステップＳ４３）、ユーザ情報記憶部１１６（又は６６）は、ユーザ名に対応するパスワードなどの情報を含むユーザ情報をユーザ管理部１２３へ送信する（ステップＳ４４）。ユーザ管理部１２３は、受信したユーザ情報に基づいてユーザ認証を行う（ステップＳ４５）。
【００６９】
ユーザ認証が成功した場合、ユーザ管理部１２３は、画像記憶部１１７（又は７７）に対して文書一覧表示要求を送信する（ステップＳ４６）。ユーザ認証が失敗した場合、ユーザ管理部１２３は、表示部１１１へ認証失敗を示す画面を表示させ、文書一覧表示要求は行わない。
【００７０】
文書一覧表示要求に応じて、画像記憶部１１７（又は７７）は、表示部１１１へ文書一覧表示を指示する（ステップＳ４８）。
【００７１】
文書利用者２は、表示部１１１に表示された文書一覧から文書を選択する（ステップＳ４８）。操作部１１２は、プレビューを表示するために選択した文書を識別する画像ＩＤを含むプレビュー表示要求を画像記憶部１１７（又は７７）へ送信する（ステップＳ４９）。画像記憶部１１７（又は７７）は、所定記憶領域から画像ＩＤに対応する画像データと機密度設定情報とを読み出す。
【００７２】
画像記憶部１１７（又は７７）は、ユーザ管理部１２３へログイン中のユーザの権限レベルを取得するために文書利用者２のユーザ名を含む権限レベル取得要求を送信する（ステップＳ５０）。ユーザ管理部１２３は、ユーザ情報記憶部１１６（又は６６）から取得したユーザ情報からログイン中のユーザとしての文書利用者２の権限レベルを取得して、画像記憶部１１７（又は７７）へ送信する（ステップＳ５１）。
【００７３】
画像記憶部１１７（又は７７）は、文書利用者２の権限レベルを取得すると、画像ＩＤに対応する画像データにおいて、機密度設定情報で指定される機密度との比較によってセキュリティ保護の範囲として指定された領域のうち実際に暗号化すべき領域（以下、暗号化領域という）を判定し（ステップＳ５２）、画像処理部１１５へデータ送信を行う（ステップＳ５３）。画像処理部１１５へ送信されたデータには、画像データと、暗号化領域の座標と、暗号化強度とが含まれる。
【００７４】
画像処理部１１５は、暗号パターンを取得するために、受信したデータから暗号化強度を取得して、その暗号化強度を示す暗号パターン取得要求を暗号パターン記憶部１１４へ送信する（ステップＳ５４）。暗号パターン記憶部１１４は、暗号パターン取得要求で指定される暗号化強度に対応する暗号パターンを画像処理部１１５へ送信する（ステップＳ５５）。
【００７５】
画像処理部１１５は、暗号パターン記憶部１１４から受信した暗号パターンを用いて、暗号化領域への暗号化処理を実行する（ステップＳ５６）。暗号化処理は図１７で詳述される。
【００７６】
画像処理部１１５は、表示部１１１に対して、部分的に暗号化された画像データでプレビュー表示を行わせる（ステップＳ５７）。文書利用者２がプレビュー表示された画像を確認後、操作部１１２の印刷キーを押下すると（ステップＳ５８）、操作部１１２は印刷要求を画像処理部１１５へ行う（ステップＳ５９）。
【００７７】
画像処理部１１５は、印刷を行うため、暗号化処理後の画像データを含む印刷要求を画像印刷部１１８へ送信し（ステップＳ６０）、画像印刷部１１８にて印刷処理が行われる（ステップＳ６１）。
【００７８】
次に、原稿１ａ又は原稿１ｂの機密度の高い領域を暗号化して画像データを保存するための処理シーケンスについて図１４で説明する。図１４は、原稿の機密度の高い部分を暗号化して画像データを保存するための処理シーケンスを示す図である。
【００７９】
図１４において、図９及び図１２のステップＳ１７又は図１１のステップＳ３９までを実行後、画像ＩＤが付加された機密度設定情報が所定記憶領域に格納されると（図９及び図１２のステップＳ１８又は図１１のステップＳ３９−２）、画像記憶部９３は、機密度設定情報を用いて暗号化領域を判定し（ステップＳ２０１）、暗号化強度と指定した領域の座標を暗号化領域の座標として取得する。そして、画像記憶部９３は、画像データと、暗号化領域の座標と、暗号化強度とを含むデータを画像処理部１１５へ送信する（ステップＳ２０２）。
【００８０】
画像処理部１１５は、画像記憶部９３から受信したデータから暗号化強度を取得して、暗号パターン記憶部１１４に対して暗号化強度に対応する暗号パターンの取得要求を行う（ステップＳ２０３）。暗号パターン記憶部１１４は、暗号化強度に対応する暗号パターンを画像処理部１１５へ送信する（ステップＳ２０４）。
【００８１】
画像処理部１１５は、暗号化パターン記憶部１１４から受信した暗号パターンで、暗号化領域の座標を用いて画像データの一部を暗号化する暗号化処理を行う（ステップＳ２０５）。そして、画像処理部１１５は、画像記憶部９３に画像記憶部１１７（又は７７）から通知された画像ＩＤに対応する画像データを一部が暗号化された画像データで上書きして保存させる（ステップＳ２０６）。
【００８２】
機密度設定情報で示される暗号化強度と文書利用者２の権限レベルとに応じた復号化鍵で画像データの一部分を復号化してプレビュー表示する場合について図１５で説明する。
【００８３】
図１５は、権限レベルに応じて部分的に復号化した画像でプレビュー表示するための処理シーケンスを示す図である。図１５中、画像処理装置１００でユーザ認証を行う場合、画像処理装置１００のユーザ情報記憶部１１６が利用され、認証サーバ６が備えられるシステム１００２の場合、認証サーバ６のユーザ情報記憶部６６が利用される。同様に、画像処理装置１００で読み込んだ原稿１ａ（又は原稿１ｂ）の画像を保存する場合、画像処理装置１００の画像記憶部１１７が利用され、文書サーバ７が備えられるシステム１００２の場合、文書サーバ７の画像記憶部７７に画像が保存される。いずれの場合においても、処理シーケンスは同様であるので、図１５中の（  ）内にシステム１００２での構成部を示す符号を付してある。更に、図１３に示す処理シーケンスにおけるステップと同様のステップには同一の符号を付し、その説明を省略する。
【００８４】
ステップＳ４１からステップＳ５１までが実行された後、画像記憶部１１７（又は７７）は、ユーザ管理部１２３から権限レベルを取得すると、画像ＩＤに対応する画像データにおいて、機密設定情報で指定される機密度との比較によってセキュリティ保護の範囲として指定された領域のうち実際に復号化しても良い領域（以下、復号化領域という）を判定し（ステップＳ５２−２）、画像処理部１１５へデータ送信を行う（ステップＳ５３−２）。画像処理部１１５へ送信されたデータには、画像データと、復号化領域の座標と、暗号化強度とが含まれる。
【００８５】
画像処理部１１５は、復号化鍵を取得するために、受信したデータから暗号化強度を取得して、その暗号化強度を示す復号化鍵取得要求を復号化鍵記憶部９４へ送信する（ステップＳ５４−２）。復号化鍵記憶部９４は、復号化鍵取得要求で指定される暗号化強度に対応する復号化鍵を画像処理部１１５へ送信する（ステップＳ５５−２）。
【００８６】
画像処理部１１５は、復号化鍵記憶部９４から受信した復号化鍵を用いて、復号化領域への復号化処理を実行する（ステップＳ５６−２）。復号化処理は図１８で詳述される。復号化処理後の画像データでは、文書利用者２の権限レベルと機密度との比較によって復号化された領域と復号化されずに暗号化されている領域とが混在する場合がある。
【００８７】
画像処理部１１５は、表示部１１１に、画像を部分的に暗号化していた領域が復号化された画像データでプレビュー表示を行わせる（ステップＳ５７−２）。文書利用者２がプレビュー表示された画像を確認後、操作部１１２の印刷キーを押下すると（ステップＳ５８−２）、操作部１１２は印刷要求を画像処理部１１５へ行う（ステップＳ５９−２）。
【００８８】
画像処理部１１５は、印刷を行うため、復号化処理後の部分的に暗号化された領域が復号された画像データを含む印刷要求を画像印刷部１１８へ送信し（ステップＳ６０−２）、画像印刷部１１８にて印刷処理が行われる（ステップＳ６１−２）。
【００８９】
上述のような処理シーケンスによって、保存時に画像データを部分的に暗号化して、印刷時に文書利用者２の権限レベルに応じて復号化することができる。
【００９０】
図９及び図１２のステップＳ１７、及び図１１のステップＳ３９にて機密度設定情報生成部９３によって実行される機密度設定情報生成処理について図１６で説明する。図１６は、機密度設定情報生成処理を説明するためのフローチャート図である。図１６において、機密度設定情報生成部９３は、操作部１１２から受信した機密度設定情報の保存要求から最初の機密度設定を参照する（ステップＳ３０１）。
【００９１】
機密度設定情報生成部９３は、機密度設定で示される領域の座標を所定のデータ構成でなる機密度設定情報に設定する（ステップＳ３０２）。機密度設定で示される機密度を機密度設定情報に設定する（ステップＳ３０３）。機密度設定で示される暗号化強度を機密度設定情報に設定する（ステップＳ３０４）。機密度設定で示される表示可／不可を機密度設定情報に設定する（ステップＳ３０５）。
【００９２】
そして、機密度設定情報生成部９３は、機密度設定がなされた全ての領域について設定を完了したか否かを判断する（ステップＳ３０６）。全ての領域について設定を完了していない場合、機密度設定情報生成部９３は、機密度設定情報の保存要求から次の機密度設定を参照して（ステップＳ３０６−２）、上述したステップＳ３０２からＳ３０６を繰り返す。
【００９３】
一方、全ての領域について設定を完了した場合、機密度設定情報生成部９３は、機密度設定情報に画像ＩＤを添付して（ステップＳ３０７）、機密度設定情報生成処理を終了する。
【００９４】
次に、図１３のステップＳ５６、及び図１４のステップ２０５にて画像処理部１１５によって実行される暗号化処理について図１７で説明する。図１７は、暗号化処理を説明するためのフローチャート図である。図１７において、画像処理部１１５は、画像記憶部１１７（又は７７）から受信した暗号化領域の座標より、暗号化する領域を判定する（ステップＳ７１）。
【００９５】
次に、画像処理部１１５は、判定した領域の暗号化強度に対応する暗号化パターンを暗号パターン記憶部１１４から取得し、その暗号パターンに基づいて暗号化する（ステップＳ７２）。
【００９６】
そして、画像処理部１１５は、画像記憶部１１７（又は７７）から受信したすべての領域を暗号化したか否かを判断する（ステップＳ７３）。画像記憶部１１７（又は７７）から受信したすべての領域を暗号化していない場合、ステップＳ７１へ戻り、上述した処理を繰り返し、画像記憶部１１７（又は７７）から受信したすべての領域を暗号化したと判断した場合、暗号化処理を終了する。
【００９７】
次に、図１５のステップＳ５６−２にて画像処理部１１５によって実行される復号化処理について図１８で説明する。図１８は、復号化処理を説明するためのフローチャート図である。図１８において、画像処理部１１５は、画像記憶部１１７（又は７７）から受信した復号化領域の座標より、復号化する領域を判定する（ステップＳ８１）。
【００９８】
次に、画像処理部１１５は、判定した領域の暗号化強度に対応する復号化鍵を復号化記憶部９４から取得し、復号化する領域をその復号化鍵を用いて復号化する（ステップＳ８２）。
【００９９】
そして、画像処理部１１５は、画像記憶部１１７（又は７７）から受信したすべての領域を復号化したか否かを判断する（ステップＳ８３）。画像記憶部１１７（又は７７）から受信したすべての領域を復号化していない場合、ステップＳ８１へ戻り、上述した処理を繰り返し、画像記憶部１１７（又は７７）から受信したすべての領域を復号化したと判断した場合、復号化処理を終了する。
【０１００】
図１９は、ユーザ情報記憶部に保存されているユーザ情報テーブルを示す図である。図１９においてユーザ情報テーブル３００は、ユーザ名、パスワード、権限レベル等の項目を有する。
【０１０１】
図１９に示すユーザ情報テーブル３００では、例えば、ユーザ名「ＡＡ  ａａ」さんのパスワードは「１２３４５６」であって、「高」権限レベルを持っていることが示される。また、ユーザ名「ＢＢ  ｂｂ」さんのパスワードは「２３４５６７」であって、「中」権限レベルを持っていることが示される。また、ユーザ名「ＣＣ  ｃｃ」さんのパスワードは「３４５６７８」であって、「低」権限レベルを持っていることが示される。
【０１０２】
ユーザ情報テーブル３００において、ユーザ毎の代わりに、所属又は役職毎にパスワード及び権限レベルを記憶して管理するようにしてもよい。
【０１０３】
図２０は、機密度設定情報の例を示す図である。図２０において、機密度設定情報３１０は、画像データに対する１つ以上のセキュリティ保護の範囲毎の機密度設定値を示し、画像ＩＤ、Ｘ座標、Ｙ座標、機密度、暗号化強度、表示部への表示可／不可等の項目を有する。
【０１０４】
図２０に示す機密度設定情報３１０では、Ｘ座標とＹ座標とでセキュリティ保護の範囲を特定するための対角線の始点と終点とが示される。
【０１０５】
例えば、Ｘ座標「０，１５０」とＹ座標「０、１００」とによって、始点座標（０、０）と終点座標（１５０、１００）とによる領域がセキュリティ保護の範囲であり、機密度「中」、暗号化強度「強」、表示部１１１へは表示「可」となる。また、Ｘ座標「１５０，２００」とＹ座標「０、１００」とによって、始点座標（１５０、０）と終点座標（２００、１００）とによる領域がセキュリティ保護の範囲であり、機密度「低」、暗号化強度「弱」、表示部１１１へは表示「可」となる。また、Ｘ座標「０，２００」とＹ座標「１００、２００」とによって、始点座標（０、１００）と終点座標（２００、２００）とによる領域がセキュリティ保護の範囲であり、機密度「高」、暗号化強度「強」、表示部１１１へは表示「不可」となる。
【０１０６】
図２１は、機密度設定情報の格納例を示す図である。図２１（Ａ）及び図２１（Ｂ）では、画像データＡに対する機密度設定情報３１０を機密度設定情報Ａ、画像データＢに対する機密度設定情報３１０を機密度設定情報Ｂ、そして画像データＣに対する機密度設定情報３１０を機密度設定情報Ｃとして示す。
【０１０７】
図２１（Ａ）では、画像データＡ、画像データＢ、・・・の各先頭部分に、対応する機密度設定情報Ａ、機密度設定情報Ｂ、・・・が夫々格納されている例を示している。機密度設定情報Ａ、画像データＡ、機密度設定情報Ｂ、画像データＢ、・・・のように順に連続して格納される。各画像データＡ、画像データＢ、・・・は画像ＩＤを含み、また、機密度設定情報Ａ、機密度設定情報Ｂ、・・・も画像ＩＤを含むようにすることで、対応付けされる。
【０１０８】
図２１（Ｂ）では、機密度設定情報Ａ、Ｂ、Ｃ、・・・が纏めて所定の記憶領域に格納され、同様に画像データＡ、Ｂ、Ｃ、・・・も纏めて所定の記憶領域に格納される。対応表３３０は、機密度設定情報Ａ、Ｂ、Ｃ、・・・と、画像データＡ、Ｂ、Ｃ、・・・との対応付けを管理する。例えば、対応表３３０に画像ＩＤと画像ＩＤに対応する画像データＡ、Ｂ、Ｃ、・・・へのポインタとを管理する。この場合、少なくとも機密度設定情報Ａ、Ｂ、Ｃ、・・・に画像ＩＤが含まれる。一方、対応表３３０に画像ＩＤと画像ＩＤに対応する機密度設定情報Ａ、Ｂ、Ｃ、・・・へのポインタを管理してもよい。この場合、少なくとも画像データＡ、Ｂ、Ｃ、・・・に画像ＩＤが含まれる。
【０１０９】
上述したように、本願発明によれば、原稿１ａ又は１ｂの１ページ内の複数の領域をセキュリティ保護の範囲として設定でき、また、範囲毎に機密度を設定することができる。また、セキュリティ保護の範囲が設定された原稿１ａ又は１ｂの画像をプレビュー表示する際の表示可／不可も設定することができる。
【０１１０】
本発明は、具体的に開示された実施例に限定されるものではなく、特許請求の範囲から逸脱することなく、種々の変形や変更が可能である。
【図面の簡単な説明】
【０１１１】
【図１】本発明に係る原稿の一部をセキュリティ保護する方法の概要を説明するための図である。
【図２】セキュリティ保護するための機密度設定を可能とする表示例を示す図である。
【図３】セキュリティ保護するための機密度設定の他の例を示す図である。
【図４】暗号化強度の違いによる出力例を示す図である。
【図５】画像処理装置の構成例を示す図である。
【図６】画像処理装置とＰＣとによるシステム構成例を示す図である。
【図７】画像処理装置と認証サーバと文書サーバとによるシステム構成例を示す図である。
【図８】図６に示す画像処理装置の機能構成を示す図である。
【図９】原稿読み取り時に機密度設定を行う場合の処理シーケンスを示す図である。
【図１０】機密度設定が一意に決定されている場合の処理シーケンスを示す図である。
【図１１】ＰＣで機密度設定を行う場合の処理シーケンスを示す図である。
【図１２】図３に示す原稿１ｂを読み取ってマークシート部分を解析して機密度を設定する場合の処理シーケンスを示す図である。
【図１３】ユーザログインから原稿の印刷までの処理シーケンスを示す図である。
【図１４】原稿の機密度の高い部分を暗号化して画像データを保存するための処理シーケンスを示す図である。
【図１５】権限レベルに応じて部分的に復号化した画像でプレビュー表示するための処理シーケンスを示す図である。
【図１６】機密度設定情報生成処理を説明するためのフローチャート図である。
【図１７】暗号化処理を説明するためのフローチャート図である。
【図１８】復号化処理を説明するためのフローチャート図である。
【図１９】ユーザ情報記憶部に保存されているユーザ情報テーブルを示す図である。
【図２０】機密度設定情報の例を示す図である。
【図２１】機密度設定情報の格納例を示す図である。
【符号の説明】
【０１１２】
１          文書管理者
１ａ        原稿
２          文書利用者
２ａ        印刷物
３ａ、３ｇ、３ｈ        プレビュー画像
３ｂ        保護されたプレビュー画像
３ｅ        領域
４          ＰＣ
４０        制御部
４１        表示部
４２        操作部
４３        ネットワークＩ／Ｆ
５          ネットワーク
６          認証サーバ
６０        制御部
６６        ユーザ情報記憶部
６９        ネットワークＩ／Ｆ
７          文書サーバ
７０        制御部
７７        画像記憶部
７９        ネットワークＩ／Ｆ
１０        ＯＳ
１１        Ｊａｖａ（登録商標）仮想マシン（ＫＶＭ）
１１ａ      機密度設定域
１１ｂ      暗号化強度設定域
１１ｃ      表示可否設定域
１２        プロファイル（Ｐｒｏｆｉｌｅ）
１２１      ＵＩ制御部
１２２      メモリ制御部
１２３      ユーザ管理部
１２４      読取印刷制御部
１２５      画像処理制御部
１２６      ネットワークＩ／Ｆ
１００      画像処理装置
１１０      制御部
１１１      表示部
１１２      操作部
１１３      原稿読取部
１１４      暗号パターン記憶部
１１５      画像処理部
１１６      ユーザ情報記憶部
１１７      画像記憶部
１１８      画像印刷部
１１９      ネットワークＩ／Ｆ
３００      ユーザ情報テーブル
３１０      機密度設定情報
３３０      対応表
【図１】
2008035494.tif 000003
【図２】
2008035494.tif 000004
【図３】
2008035494.tif 000005
【図４】
2008035494.tif 000006
【図５】
2008035494.tif 000007
【図６】
2008035494.tif 000008
【図７】
2008035494.tif 000009
【図８】
2008035494.tif 000010
【図９】
2008035494.tif 000011
【図１０】
2008035494.tif 000012
【図１１】
2008035494.tif 000013
【図１２】
2008035494.tif 000014
【図１３】
2008035494.tif 000015
【図１４】
2008035494.tif 000016
【図１５】
2008035494.tif 000017
【図１６】
2008035494.tif 000018
【図１７】
2008035494.tif 000019
【図１８】
2008035494.tif 000020
【図１９】
2008035494.tif 000021
【図２０】
2008035494.tif 000022
【図２１】
2008035494.tif 000023